(57)【要約】  圧延材の幅方向の温度分布が均一の場合でも圧延材の蛇行を抑制するように圧延材の温度を設定することができる圧延ラインの蛇行制御装置を提供する。圧延ラインの蛇行制御装置は、圧延材への圧延荷重と圧延材にかかる入側張力と圧延材にかかる出側張力と圧延材の温度とに基づいて、入側張力がかからない場合における圧延荷重の予測値を計算する尾端圧延荷重計算部と、入側張力がかからない場合における圧延材の蛇行の許容量と圧延材への圧延荷重の一側と他側との差と圧延材の速度とに基づいて、圧延材の蛇行量が許容量の場合における圧延材への圧延荷重の基準値を計算する許容蛇行量圧延荷重計算部と、圧延荷重の予測値と圧延荷重の基準値との差に基づいて、圧延材の昇温量を計算する昇温量計算部と、を備えた。
2016125226.tif 000002
【特許請求の範囲】
【請求項１】
圧延スタンドによる圧延材への圧延荷重と前記圧延スタンドの入側において圧延材にかかる入側張力と前記圧延スタンドの出側において圧延材にかかる出側張力と圧延材の温度とに基づいて、前記入側張力がかからない場合における前記圧延スタンドによる圧延材への圧延荷重の予測値を計算する尾端圧延荷重計算部と、
前記入側張力がかからない場合における圧延材の蛇行の許容量と前記圧延スタンドによる圧延材への圧延荷重の一側と他側との差と前記圧延スタンドの入側における圧延材の速度とに基づいて、圧延材の蛇行量が前記許容量の場合における圧延材への圧延荷重の基準値を計算する許容蛇行量圧延荷重計算部と、
前記尾端圧延荷重計算部により計算された圧延荷重の予測値と前記許容蛇行量圧延荷重計算部により計算された圧延荷重の基準値との差に基づいて、圧延材の昇温量を計算する昇温量計算部と、
を備えた圧延ラインの蛇行制御装置。
【請求項２】
前記尾端圧延荷重計算部により計算された圧延荷重の予測値と前記圧延スタンドによる圧延材への圧延荷重の一側と他側との差とに基づいて圧延材の蛇行量を計算する蛇行量計算部、
を備えた請求項１に記載の圧延ラインの蛇行制御装置。
【請求項３】
圧延材の蛇行量が前記許容量を越えている場合に異常を検出する蛇行量異常検出部、
を備え、
前記昇温量計算部は、前記蛇行量異常検出部が前記異常を検出していない場合は圧延材の昇温量を計算せず、前記蛇行量異常検出部が前記異常を検出している場合は圧延材の昇温量を計算する請求項１または請求項２に記載の圧延ラインの蛇行制御装置。
【請求項４】
前記昇温量計算部により計算された圧延材の昇温量に基づいて、前記圧延スタンドの出側において圧延材が目標温度となるように前記圧延スタンドの出側に設けられたスプレーによる水の流量を計算するスプレー流量計算部、
を備えた請求項１から請求項３のいずれか一項に記載の圧延ラインの蛇行制御装置。
【請求項５】
前記昇温量計算部により計算された圧延材の昇温量が昇温可能温度を超えた場合は、前記昇温可能温度を超えた昇温量に相当する圧延材の蛇行量を計算する昇温量不足分蛇行量計算部と、
前記昇温量不足分蛇行量計算部により計算された圧延材の蛇行量を相殺するように前記圧延スタンドに設けられたレベリングの操作量を計算するレベリング操作量計算部と、
を備えた請求項１から請求項４のいずれか一項に記載の圧延ラインの蛇行制御装置。
【発明の詳細な説明】
【技術分野】
【０００１】
この発明は、圧延ラインの蛇行制御装置に関する。
【背景技術】
【０００２】
特許文献１は、圧延ラインの蛇行制御装置を開示する。当該蛇行制御装置によれば、圧延材の幅方向の温度分布が均一となる。その結果、圧延材の蛇行が抑制され得る。
【先行技術文献】
【特許文献】
【０００３】
【特許文献１】日本特開２００７−２３７２４０号公報
【発明の概要】
【発明が解決しようとする課題】
【０００４】
しかしながら、圧延材の幅方向の温度分布が均一の場合でも、圧延材の蛇行は発生し得る。この場合、特許文献１に記載のものにおいては、圧延材の蛇行を抑制するための圧延材の温度が設定されない。【０００５】
この発明は、上述の課題を解決するためになされた。この発明の目的は、圧延材の幅方向の温度分布が均一の場合でも圧延材の蛇行を抑制するように圧延材の温度を設定することができる圧延ラインの蛇行制御装置を提供することである。
【課題を解決するための手段】
【０００６】
この発明に係る圧延ラインの蛇行制御装置は、圧延スタンドによる圧延材への圧延荷重と前記圧延スタンドの入側において圧延材にかかる入側張力と前記圧延スタンドの出側において圧延材にかかる出側張力と圧延材の温度とに基づいて、前記入側張力がかからない場合における前記圧延スタンドによる圧延材への圧延荷重の予測値を計算する尾端圧延荷重計算部と、前記入側張力がかからない場合における圧延材の蛇行の許容量と前記圧延スタンドによる圧延材への圧延荷重の一側と他側との差と前記圧延スタンドの入側における圧延材の速度とに基づいて、圧延材の蛇行量が前記許容量の場合における圧延材への圧延荷重の基準値を計算する許容蛇行量圧延荷重計算部と、前記尾端圧延荷重計算部により計算された圧延荷重の予測値と前記許容蛇行量圧延荷重計算部により計算された圧延荷重の基準値との差に基づいて、圧延材の昇温量を計算する昇温量計算部と、を備えた。
【発明の効果】
【０００７】
この発明によれば、圧延材の幅方向の温度分布に関係なく、圧延材の昇温量が計算される。このため、圧延材の幅方向の温度分布が均一の場合でも、圧延材の蛇行を抑制するように圧延材の温度を設定することができる。
【図面の簡単な説明】
【０００８】
【図１】この発明の実施の形態１における圧延ラインの蛇行制御装置が適用された圧延ラインの構成図である。
【図２】この発明の実施の形態１における圧延ラインの蛇行制御装置が適用された圧延ラインでの圧延材の蛇行量の計算モデルを示す図である。
【図３】この発明の実施の形態１における圧延ラインの蛇行制御装置に設けられた蛇行制御補正量演算装置のブロック図である。
【図４】この発明の実施の形態１における圧延ラインの蛇行制御装置のハードウェア構成図である。
【図５】この発明の実施の形態２における圧延ラインの蛇行制御装置が適用された圧延ラインの構成図である。
【図６】この発明の実施の形態２における圧延ラインの蛇行制御装置に設けられた蛇行制御補正量演算装置のブロック図である。
【図７】この発明の実施の形態３における圧延ラインの蛇行制御装置が適用された圧延ラインの構成図である。
【図８】この発明の実施の形態３における圧延ラインの蛇行制御装置に設けられた蛇行制御補正量演算装置のブロック図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略する。
【００１０】
実施の形態１．
図１はこの発明の実施の形態１における圧延ラインの蛇行制御装置が適用された圧延ラインの構成図である。
【００１１】
図１において、粗圧延機１は、圧延ラインの最も入側に設けられる。バーヒータ２は、粗圧延機１の出側に設けられる。仕上圧延機３は、バーヒータ２の出側に設けられる。仕上圧延機３は、複数の圧延スタンド３ａを備える。複数の圧延スタンド３ａは、圧延ラインに沿って並ぶ。
【００１２】
バーヒータ制御装置４の出力部は、バーヒータ２の入力部に接続される。蛇行制御装置５は、蛇行制御補正量演算装置６を備える。蛇行制御補正量演算装置６の入力部は、各圧延スタンド３ａに設けられた機器に接続される。蛇行制御補正量演算装置６の出力部は、バーヒータ制御装置４の入力部に接続される。
【００１３】
圧延ラインの熱間圧延工程において、圧延材７は、粗圧延機１で圧延される。その後、圧延材７は、バーヒータ２により加熱される。その後、圧延材７は、仕上圧延機３で圧延される。この際、各圧延スタンド３ａにおいて、圧延材７への圧延荷重、圧延材７への圧延荷重の一側と他側との差等が計測される。
【００１４】
蛇行制御補正量演算装置６は、計測値および設定値の少なくとも一方を用いて、圧延材７の尾端での蛇行量の予測値を計算する。蛇行制御補正量演算装置６は、当該予測値に対応した圧延材７の蛇行を抑制するために要する圧延材７の温度を計算する。蛇行制御補正量演算装置６は、計算結果に基づいて圧延材７の昇温量を計算する。蛇行制御補正量演算装置６は、当該昇温量に対応した信号をバーヒータ制御装置４に出力する。
【００１５】
バーヒータ制御装置４は、当該信号に対応した昇温量に基づいてバーヒータ２の使用電力を計算する。バーヒータ制御装置４は、当該電力をバーヒータ２に印加する。
【００１６】
次に、図２を用いて、圧延材７の蛇行を説明する。
図２はこの発明の実施の形態１における圧延ラインの蛇行制御装置が適用された圧延ラインでの圧延材の蛇行量の計算モデルを示す図である。
【００１７】
図２のモデルは、無張力状態での圧延における一般的な知見として知られる蛇行量の計算モデルを簡略化したものである。圧延材７への圧延荷重の一側と他側との差が何らかの要因で発生すると、圧延材７の一側と他側との厚さの差（ウェッジ率）の入側と出側の差であるウェッジ率変化量が変化する。当該ウェッジ率変化量が積分される結果、圧延材７が蛇行する。圧延材７が蛇行すると、圧延材７への圧延荷重の一側と他側との差が増大する。このため、更にウェッジ率が変化する。その結果、圧延材７の蛇行が増大する。
【００１８】
次に、図３を用いて、蛇行制御補正量演算装置６を説明する。
図３はこの発明の実施の形態１における圧延ラインの蛇行制御装置に設けられた蛇行制御補正量演算装置ブロック図である。
【００１９】
図３に示すように、蛇行制御補正量演算装置６は、第１記憶部６ａと第２記憶部６ｂと第３記憶部６ｃと尾端圧延荷重計算部６ｄと蛇行量計算部６ｅと蛇行量異常検出部６ｆと許容蛇行量圧延荷重計算部６ｇと差分圧延荷重計算部６ｈと昇温量計算部６ｉとを備える。
【００２０】
第１記憶部６ａは、圧延材７の温度に対応した情報を一時的に記憶する。第２記憶部６ｂは、圧延材７の蛇行の許容量に対応した情報を一時的に記憶する。第３記憶部６ｃは、圧延スタンド３ａの入側における圧延材７の速度Ｖに対応した情報を一時的に記憶する。
【００２１】
圧延が安定している際、尾端圧延荷重計算部６ｄは、入側張力がかからない場合における圧延スタンド３ａによる圧延材７への圧延荷重の予測値を計算する。この際、尾端圧延荷重計算部６ｄは、圧延スタンド３ａによる圧延材７への圧延荷重ＰＡＣＴ（ｋＮ）と圧延スタンド３ａの入側において圧延材７にかかる入側張力σｅ、ＡＣＴ（ＭＰａ）と圧延スタンド３ａの出側において圧延材７にかかる出側張力σｘ、ＡＣＴ（ＭＰａ）と仕上圧延中の圧延材７の温度Ｔｓｔｒｉｐ（℃）とに基づいて圧延荷重の予測値Ｐ０（ｋＮ）を計算する。
【００２２】
例えば、尾端圧延荷重計算部６ｄは、次の（１）式で表された圧延荷重の計算式を用いる。
【００２３】
Ｐ＝ｆｐ（σｅ、σｘ、Ｔｓｔｒｉｐ・・・）      （１）
【００２４】
具体的には、尾端圧延荷重計算部６ｄは、次の（２）式から（４）式を用いて圧延荷重の予測値Ｐ０（ｋＮ）を計算する。
【００２５】
ＰＡＣＡＬ＝ｆｐ（σｅ、ＡＣＴ、σｘ、ＡＣＴ、Ｔｓｔｒｉｐ・・・）      （２）
β＝ＰＡＣＴ／ＰＡＣＡＬ      （３）
Ｐ０＝β・ｆｐ（σｅ０、ＡＣＴ、σｘ、ＡＣＴ、Ｔｓｔｒｉｐ・・・）      （４）
【００２６】
ここで、σｅ０は０である。
【００２７】
蛇行量計算部６ｅは、尾端圧延荷重計算部６ｄにより計算された圧延荷重の予測値Ｐ０と圧延スタンド３ａによる圧延材７への圧延荷重の一側と他側との差δＰ（ｋＮ）と圧延スタンド３ａの入側における圧延材７の速度Ｖ（ｍ／ｓ）とに基づいて圧延材７の蛇行量ｙｃ（ｍｍ）を計算する。例えば、圧延荷重の一側と他側との差δＰは、各圧延スタンド３ａに設けられたロードセル（図示せず）からのワーク側の圧延荷重ＰＷＳ（ｋＮ）とドライブ側の圧延荷重ＰＤＳ（ｋＮ）とから計算される。
【００２８】
例えば、蛇行量計算部６ｅは、次の（５）式で表された蛇行量予測式を用いて圧延材７の蛇行量ｙｃを計算する。
【００２９】
ｙｃ＝ｆｙｃ（δＰ、Ｐ０、Ｖ、・・・）      （５）
【００３０】
蛇行量異常検出部６ｆは、圧延材７の蛇行量ｙｃが許容量ｙｃ´を越えているか否かを判定する。蛇行量異常検出部６ｆは、圧延材７の蛇行量ｙｃが許容量ｙｃ´を越えている場合に異常を検出する。許容量ｙｃ´は、操業阻害となる圧延のトラブルを引き起こす事態に対応して設定される。例えば、許容量ｙｃ´は、圧延材７が蛇行により絞られる事態に対応して設定される。例えば、許容量ｙｃ´は、圧延材７が仕上圧延機３の側部に接触する事態に対応して設定される。例えば、許容量ｙｃ´は、圧延スタンド３ａ等の設備が破損する事態に対応して設定される。
【００３１】
許容蛇行量圧延荷重計算部６ｇは、圧延材７の蛇行量ｙｃが許容量ｙｃ´の場合における圧延材７への圧延荷重の基準値Ｐ０´（ｋＮ）を計算する。
【００３２】
例えば、許容蛇行量圧延荷重計算部６ｇは、（５）式で表された関数の逆関数を用いて圧延荷重の基準値Ｐ０´を計算する。許容蛇行量圧延荷重計算部６ｇは、次の（６）式を用いて圧延荷重の基準値Ｐ０´を計算する。
【００３３】
Ｐ０´＝ｆｙｃ´−１（δＰ、Ｖ、ｙｃ´、・・・）      （６）
【００３４】
差分圧延荷重計算部６ｈは、蛇行量異常検出部６ｆが異常を検出していない場合に予測値Ｐ０と基準値Ｐ０´との差ΔＰ（ｋＮ）を計算しない。蛇行量異常検出部６ｆが異常を検出している場合は予測値Ｐ０と基準値Ｐ０´との差ΔＰを計算する。予測値Ｐ０と基準値Ｐ０´との差ΔＰは、次の（７）式で表される。
【００３５】
ΔＰ＝Ｐ０−Ｐ０´      （７）
【００３６】
昇温量計算部６ｉは、予測値Ｐ０と基準値Ｐ０´との差ΔＰをなくすために要する圧延材７の昇温量ΔＴＢＨ（℃）を計算する。昇温量ΔＴＢＨは、バーヒータ２により圧延材７を昇温する際の昇温量である。
【００３７】
例えば、昇温量計算部６ｉは、次の（８）式で表された圧延材温度予測式を用いて圧延材７の昇温量ΔＴＢＨを計算する。
【００３８】
ΔＴＢＨ＝ｆｔ（ΔＰ、Ｔｓｔｒｉｐ、・・・）      （８）
【００３９】
これらの計算は、複数の圧延スタンド３ａの全てに対して行われる。昇温量計算部６ｉは、全ての圧延スタンド３ａについて計算された圧延材７の昇温量ΔＴＢＨのうちで最も値の大きい昇温量ΔＴＢＨに対応した信号をバーヒータ制御装置４に出力する。
【００４０】
バーヒータ制御装置４は、昇温量計算部６ｉからの信号に対応した圧延材７の昇温量ΔＴＢＨを満たすバーヒータ２の使用電力Ｐｗを計算する。バーヒータ制御装置４は、計算結果に基づいてバーヒータ２での加熱を制御する。当該加熱により、圧延材７への圧延荷重が下がる。その結果、圧延材７の蛇行が抑制される。
【００４１】
次に、図４を用いて、蛇行制御補正量演算装置６のハードウェア構成の一例を説明する。
図４はこの発明の実施の形態１における圧延ラインの蛇行制御装置に設けられた蛇行制御補正量演算装置のハードウェア構成図である。
【００４２】
図４に示すように、蛇行制御補正量演算装置６は、処理回路８を備える。処理回路８は、プロセッサ８ａとメモリ８ｂとを備える。図３の蛇行制御装置５の各部の動作は、少なくとも一つのプロセッサ８ａが少なくとも一つのメモリ８ｂに記憶されたプログラムを実行することにより実現される。
【００４３】
以上で説明した実施の形態１によれば、圧延材７の幅方向の温度分布に関係なく、圧延材７の昇温量が計算される。このため、圧延材７の幅方向の温度分布が均一の場合でも、圧延材７の蛇行を抑制するように圧延材７の温度を設定することができる。その結果、圧延材７の破断および絞り込みを抑制することができる。圧延ラインの設備の破損を抑制することができる。その結果、圧延による製品の歩留まりの悪化および生産性の低下を抑制することができる。
【００４４】
また、圧延材７の蛇行量は、蛇行量計算部６ｅの計算により求められる。このため、圧延材７の幅方向の温度分布を計測する温度計および蛇行計を設けなくても圧延材７の蛇行を抑制することができる。
【００４５】
また、圧延材７の蛇行の異常が検出された場合のみに圧延材７の昇温量が計算される。このため、蛇行制御補正量演算装置６による計算の負荷を抑制することができる。
【００４６】
なお、仕上圧延機３の出側に蛇行計を設けてもよい。この場合、蛇行計で計測した圧延材７の蛇行量が許容量を越えている場合に異常を検出すればよい。
【００４７】
実施の形態２．
図５はこの発明の実施の形態２における圧延ラインの蛇行制御装置が適用された圧延ラインの構成図である。なお、実施の形態１と同一又は相当部分には、同一符号が付される。当該部分の説明は省略される。
【００４８】
実施の形態２の圧延ラインは、実施の形態１の圧延ラインに複数のスプレー９とスプレー制御装置１０とを付加したものである。
【００４９】
各スプレー９は、隣接した圧延スタンド３ａの間に設けられる。スプレー制御装置１０の出力部は、スプレー９の入力部に接続される。スプレー制御装置１０の入力部は、蛇行制御補正量演算装置６の出力部に接続される。
【００５０】
例えば、蛇行制御補正量演算装置６は、圧延材７の昇温量に基づいて、圧延材７が目標温度となるように最も出側のスプレー９による水の流量を計算する。スプレー制御装置１０は、蛇行制御補正量演算装置６により計算された水の流量に基づいて最も出側のスプレー９で圧延材７を制御する。
【００５１】
次に、図６を用いて、蛇行制御補正量演算装置６を説明する。
図６はこの発明の実施の形態２における圧延ラインの蛇行制御装置に設けられた蛇行制御補正量演算装置のブロック図である。
【００５２】
図６に示すように、実施の形態２の蛇行制御補正量演算装置６は、実施の形態１の蛇行制御補正量演算装置６に第４記憶部６ｊとスプレー流量計算部６ｋとを付加したものである。
【００５３】
第４記憶部６ｊは、圧延材７の目標温度ＴＦＤ、ＴＧ（℃）に対応した情報を一時的に記憶する。
【００５４】
スプレー流量計算部６ｋは、昇温量計算部６ｉにより計算された圧延材７の昇温量ΔＴＢＨと目標温度ＴＦＤ、ＴＧとに基づいてスプレー９による水の流量ＦＳＰを計算する。
【００５５】
例えば、スプレー流量計算部６ｋは、次の（９）式で表されたスプレー流量予測式を用いてスプレー９による水の流量ＦＳＰを計算する。
【００５６】
ＦＳＰ＝ｆｆ（ΔＴＢＨ、ＴＦＤ、ＴＧ、・・・）      （９）
【００５７】
（９）式においては、スプレー９による水の流量ＦＳＰは、最大流量に対する割合（％）として計算される。
【００５８】
スプレー流量計算部６ｋは、スプレー９による水の流量ＦＳＰに対応した信号をスプレー制御装置１０に出力する。
【００５９】
スプレー制御装置１０は、スプレー流量計算部６ｋからの信号に対応した流量ＦＳＰに基づいて水の流量の変更量に対応した信号をスプレー９に出力する。スプレー９は、スプレー制御装置１０からの信号に対応した水の流量ＦＳＰに応じて水の流量を変更する。
【００６０】
以上で説明した実施の形態２によれば、圧延材７が目標温度となるようにスプレー９が制御される。このため、圧延材７の材質に悪影響を及ぼす可能性を下げることができる。
【００６１】
この際、圧延材７の蛇行が予測される圧延スタンド３ａの出側に設けられたスプレー９のいずれかを制御すればよい。例えば、１つのスプレー９のみにより圧延材７を冷却してもよい。例えば、複数のスプレー９により分散して圧延材７を冷却してもよい。
【００６２】
実施の形態３．
図７はこの発明の実施の形態３における圧延ラインの蛇行制御装置が適用された圧延ラインの構成図である。なお、実施の形態１と同一又は相当部分には、同一符号が付される。当該部分の説明は省略される。
【００６３】
実施の形態３の圧延ラインは、実施の形態１の圧延ラインに複数のレベリング１１とレベリング制御装置１２とを付加したものである。
【００６４】
各レベリング１１は、各圧延スタンド３ａに設けられる。なお、図７においては、１つのレベリング１１のみ示される。レベリング制御装置１２の出力部は、レベリング１１の入力部に接続される。レベリング制御装置１２の入力部は、蛇行制御補正量演算装置６の出力部に接続される。
【００６５】
例えば、蛇行制御補正量演算装置６は、圧延材７の昇温量がバーヒータ２の昇温可能温度を超えた場合に昇温可能温度を超えた昇温量に相当する圧延材７の蛇行量を計算する。蛇行制御補正量演算装置６は、当該蛇行量を相殺するようにレベリング１１の操作量を計算する。レベリング制御装置１２は、蛇行制御補正量演算装置６により計算された操作量に基づいて圧延材７のウェッジ率が小さくなるようにレベリング１１を制御する。
【００６６】
次に、図８を用いて、蛇行制御補正量演算装置６を説明する。
図８はこの発明の実施の形態３における圧延ラインの蛇行制御装置に設けられた蛇行制御補正量演算装置のブロック図である。
【００６７】
図８に示すように、実施の形態２の蛇行制御補正量演算装置６は、実施の形態１の蛇行制御補正量演算装置６に第５記憶部６ｌと昇温量不足分蛇行量計算部６ｍとレベリング操作量計算部６ｎとを付加したものである。
【００６８】
第５記憶部６ｌは、バーヒータ２の昇温可能量ΔＴＢＨ、ＵＬ（℃）に対応した情報を一時的に記憶する。
【００６９】
昇温量不足分蛇行量計算部６ｍは、圧延材７の昇温量ΔＴＢＨとバーヒータ２の昇温可能量ΔＴＢＨ、ＵＬ（℃）とに基づいて圧延材７の昇温可能量ΔＴＢＨ´´（℃）と昇温量不足分の圧延材７の蛇行量Δｙｃ´´（ｍｍ）とを計算する。
【００７０】
例えば、圧延材７の昇温量ΔＴＢＨがバーヒータ２の昇温可能量ΔＴＢＨ、ＵＬ以上の場合、昇温量不足分蛇行量計算部６ｍは、次の（１０）式および（１１）式を用いて圧延材７の昇温可能量ΔＴＢＨ´´と昇温量不足分の圧延材７の蛇行量Δｙｃ´´とを計算する。
【００７１】
ΔＴＢＨ´´＝ΔＴＢＨ、ＵＬ      （１０）
Δｙｃ´´＝ｆｙｃ（δＰ、ｆｐ（ΔＴＢＨ−ΔＴＢＨ、ＵＬ）、Ｖ、・・・）      （１１）
【００７２】
例えば、圧延材７の昇温量ΔＴＢＨがバーヒータ２の昇温可能量ΔＴＢＨ、ＵＬ未満の場合、昇温量不足分蛇行量計算部６ｍは、次の（１２）式および（１３）式を用いて圧延材７の昇温可能量ΔＴＢＨ´´と昇温量不足分の圧延材７の蛇行量Δｙｃ´´とを計算する。
【００７３】
ΔＴＢＨ´´＝ΔＴＢＨ      （１２）
Δｙｃ´´＝０      （１３）
【００７４】
昇温量不足分蛇行量計算部６ｍは、圧延材７の昇温可能量ΔＴＢＨ´´に対応した信号をバーヒータ制御装置４に出力する。昇温量不足分蛇行量計算部６ｍは、昇温量不足分の圧延材７の蛇行量Δｙｃ´´に対応した信号をレベリング操作量計算部６ｎに出力する。
【００７５】
レベリング操作量計算部６ｎは、昇温量不足分蛇行量計算部６ｍからの信号に対応した昇温量不足分の圧延材７の蛇行量Δｙｃ´´に基づいてレベリングの操作量δＳ（ｍｍ）を計算する。
【００７６】
レベリング操作量計算部６ｎは、次の（１４）式で表されたレベリング操作量予測式を用いてレベリングの操作量δＳを計算する。
【００７７】
δＳ＝ｆδＳ（Δｙｃ´´、・・・）      （１４）
【００７８】
レベリング操作量計算部６ｎは、レベリングの操作量δＳに対応した信号をレベリング制御装置１２に出力する。レベリング制御装置１２は、レベリング操作量計算部６ｎからの信号に対応した操作量δＳでレベリング１１を操作する。
【００７９】
以上で説明した実施の形態３によれば、圧延材７の昇温量がバーヒータ２の昇温可能量を超えた場合は、レベリング１１が操作される。このため、圧延材７の昇温量がバーヒータ２の昇温可能量を超えた場合でも、圧延材７の蛇行を制御することができる。
【産業上の利用可能性】
【００８０】
以上のように、この発明に係る圧延ラインの蛇行制御装置は、圧延材の幅方向の温度分布が均一の場合でも圧延材の蛇行を抑制するように圧延材の温度を設定するシステムに利用できる。
【符号の説明】
【００８１】
１  粗圧延機、  ２  バーヒータ、  ３  仕上圧延機、  ３ａ  圧延スタンド、  ４  バーヒータ制御装置、  ５  蛇行制御装置、  ６  蛇行制御補正量演算装置、  ６ａ  第１記憶部、  ６ｂ  第２記憶部、  ６ｃ  第３記憶部、  ６ｄ  尾端圧延荷重計算部、  ６ｅ  蛇行量計算部、  ６ｆ  蛇行量異常検出部、  ６ｇ  許容蛇行量圧延荷重計算部、  ６ｈ  差分圧延荷重計算部、  ６ｉ  昇温量計算部、  ６ｊ  第４記憶部、  ６ｋ  スプレー流量計算部、  ６ｌ  第５記憶部、  ６ｍ  昇温量不足分蛇行量計算部、  ６ｎ  レベリング操作量計算部、  ７  圧延材、  ８  処理回路、  ８ａ  プロセッサ、  ８ｂ  メモリ、  ９  スプレー、  １０  スプレー制御装置、  １１  レベリング、  １２  レベリング制御装置
【図１】
2016125226.tif 000003
【図２】
2016125226.tif 000004
【図３】
2016125226.tif 000005
【図４】
2016125226.tif 000006
【図５】
2016125226.tif 000007
【図６】
2016125226.tif 000008
【図７】
2016125226.tif 000009
【図８】
2016125226.tif 000010
【国際調査報告】
2016125226.tif 000011
2016125226.tif 000012